(57)【要約】      （修正有）【課題】その材料である紙をもって筆記具ホルダー部を設けることにより、材料コスト及び製作の手間と時間を大幅に軽減するノートを提供する。【解決手段】ノート１本体における裏表紙３の側縁３Ａの外側に、筆記具Ｐを保持するときには起立させて立体的な角筒形状になし、筆記具Ｐを保持しないときには畳んで扁平にすることができる筆記具ホルダー部５を設ける。前記筆記具ホルダー部５を、ノート１本体における裏表紙３の側縁３Ａの外側に、夫々折線６を介して、縦長長方形をなす背面壁７と、右側面壁８と、前面壁９と、左側面壁１０と、貼着片１１とを順次連成し、前記貼着片１１をノート１本体における裏表紙３の側縁３Ａの内側面に貼着して形成してなる筆記具ホルダー部５とする。【選択図】図１
0003187016.tif 000002
【実用新案登録請求の範囲】
【請求項１】
ノート本体における裏表紙の側縁の外側に、筆記具を保持するときには起立させて立体的な角筒形状になし、筆記具を保持しないときには畳んで扁平にすることができる筆記具ホルダー部を設けたことを特徴とするノート。
【請求項２】
筆記具ホルダー部が、ノート本体における裏表紙の側縁の外側に、夫々折線を介して、縦長長方形をなす背面壁と、右側面壁と、前面壁と、左側面壁と、貼着片とを順次連成し、前記貼着片をノート本体における裏表紙の側縁の内側面に貼着して形成してなる筆記具ホルダー部である請求項１記載のノート。
【請求項３】
右側面壁と前面壁の上部に、これらにかけて略Ｖ字形の切り込みを設けてなる請求項２記載のノート。
【請求項４】
筆記具ホルダー部が、一枚の厚紙からなり、夫々折線を介して、縦長長方形をなす連結貼着片と、背面壁と、右側面壁と、前面壁と、左側面壁と、貼着片とを順次連成し、前記連結貼着片をノート本体における裏表紙の側縁の内側面に貼着すると共に、前記貼着片を前記連結貼着片に重合貼着して形成してなる筆記具ホルダー部である請求項１記載のノート。
【考案の詳細な説明】
【技術分野】
【０００１】  本考案はノートに関し、更に詳細には筆記具ホルダー部を設けたことを特徴とするノートに係わる。
【背景技術】
【０００２】  ノートを使用するときにはボールペンやシャープペンシル等の筆記具を用いて必要事項を記入するが、うっかり筆記具の携行を忘れてしまうことがある。【０００３】  また、ノートと筆記具は使用上において対をなすものであるから、本来はすぐに記入することができるように組み合わせになっていることが望ましいが、実際においては夫々を離して携行することが多い。したがって、即座に記入することができない。【０００４】  これらのことから、筆記具の携行忘れを防ぐためと、即座に記入することができるようにするため、従来においてもノートのカバーに筆記具ホルダー部を設けたものや、ノートにクリップ形式で止着する筆記具ホルダーが案出され、実用に供されている。【０００５】  しかし、従来のものにあっては、筆記具ホルダーがノート自体ではなく、ノートとは別体のものであるから、ノートとは別の材料で且つノートとは別々に製作しなければならない。したがって、材料コストがかかると共に、製作に手間と時間がかかることになる。また、材料もノートの如き紙ではなく樹脂や金属であるから、廃棄するときに分別しなければならず面倒である。また、ノートに記入するときに筆記具ホルダーが邪魔になり、記入用紙が曲がって書きにくいという問題もある。
【考案の概要】
【考案が解決しようとする課題】
【０００６】  本考案は上記の点に鑑みなされたものであって、ノート自体に、その材料である紙をもって筆記具ホルダー部を設け、且つまた該筆記具ホルダー部はノート本体における裏表紙の側縁の外側に設け、更に該筆記具ホルダー部は、筆記具を保持するときには起立させて立体的な角筒形状になし、また筆記具を保持しないときには畳んで扁平にすることができるようになし、もって従来品の有する上記問題点を悉く解消することができるようになしたノートを提供しようとするものである。
【課題を解決するための手段】
【０００７】  而して、本考案の要旨とするところは、ノート本体における裏表紙の側縁の外側に、筆記具を保持するときには起立させて立体的な角筒形状になし、筆記具を保持しないときには畳んで扁平にすることができる筆記具ホルダー部を設けたことを特徴とするノートにある。【０００８】  また、上記構成において、筆記具ホルダー部を、ノート本体における裏表紙の側縁の外側に、夫々折線を介して、縦長長方形をなす背面壁と、右側面壁と、前面壁と、左側面壁と、貼着片とを順次連成し、前記貼着片をノート本体における裏表紙の側縁の内側面に貼着して形成してなる筆記具ホルダー部としてもよい。【０００９】  また、上記構成において、右側面壁と前面壁の上部に、これらにかけて略Ｖ字形の切り込みを設けるようにしてもよい。【００１０】  また、上記構成において筆記具ホルダー部を、一枚の厚紙からなり、夫々折線を介して、縦長長方形をなす連結貼着片と、背面壁と、右側面壁と、前面壁と、左側面壁と、貼着片とを順次連成し、前記連結貼着片をノート本体における裏表紙の側縁の内側面に貼着すると共に、前記貼着片を前記連結貼着片に重合貼着して形成してなる筆記具ホルダー部としてもよい。
【考案の効果】
【００１１】  本考案は上記の如き構成であり、ノート自体に、その材料である紙をもって筆記具ホルダー部を設けたから、従来の如く筆記具ホルダーをノートとは別の材料で且つノートとは別々に製作しなければならない場合に比して材料コストと製作に要する手間と時間を大幅に軽減することができるものである。また、廃棄するときにも、紙であるから通常のゴミとして廃棄することができるものである。【００１２】  また、ノートに記入するときに、従来品にあっては筒状の筆記具ホルダーがあることから、記入用紙がテーブル面に平行にならず、曲がって書きにくいという問題があったが、本考案にあっては筆記具ホルダー部をノート本体における裏表紙の側縁の外側に設けたから、筆記具ホルダー部が記入用紙の外側に外れて位置し、もって記入用紙はテーブル面と完全に平行した状態となり、従来品の書きにくいという問題を解消することができる。【００１３】  また、筆記具ホルダー部は、筆記具を保持するときには起立させて立体的な角筒形状になし、筆記具を保持しないときには畳んで扁平にすることができるようになしたから、出掛けるときに、使用する予定のノートの筆記具ホルダー部を起立させて筆記具を保持させ、そして帰ってから当該ノートを保管しておくときには、筆記具ホルダー部から筆記具を抜き取り、該筆記部ホルダー部を畳んで扁平にするものである。これにより多数のノートを重ねて保管するとき、筆記具ホルダ−部が嵩張って邪魔にならず、整然と保管することができるものである。【００１４】  また、筆記具ホルダー部を、ノート本体における裏表紙の側縁の外側に、夫々折線を介して、縦長長方形をなす背面壁と、右側面壁と、前面壁と、左側面壁と、貼着片とを順次連成し、前記貼着片をノート本体における裏表紙の側縁の内側面に貼着して形成してなる筆記具ホルダー部とした場合には、ノート本体を裁断機で打ち抜くときに筆記具ホルダー部も同時に打ち抜くことができ、製作する上で効率よく行うことができる。そして、出来上がった状態においては上記の効果を奏するものである。【００１５】  また、右側面壁と前面壁の上部に、これらにかけて略Ｖ字形の切り込みを設けた場合には、略Ｖ字形の切り込みによって形成された窪みに筆記具を深く入り込ませることができるから、ノートの携行中にこれが揺れても簡単に飛び出してしまうことを防ぐことができると共に、筆記具のノック部を窪みの中に位置させることができるから、知らず知らずのうちにノック部が押されて、筆記具の先端から出たインク等で衣服が汚れる等の事故を未然に防ぐことができるものである。【００１６】  また、筆記具ホルダー部を、一枚の厚紙からなり、夫々折線を介して、縦長長方形をなす連結貼着片と、背面壁と、右側面壁と、前面壁と、左側面壁と、貼着片とを順次連成し、前記連結貼着片をノート本体における裏表紙の側縁の内側面に貼着すると共に、前記貼着片を前記連結貼着片に重合貼着して形成してなる筆記具ホルダー部とした場合には、筆記具ホルダー部をノート本体とは別体に製作することが必要となるが、筆記具ホルダー部を形成する紙は、ノート本体を裁断した残りの部分を使用してもよく、特にコストが高くなるという問題はない。また、ノート本体に一体化させたときにおいては上記と同様の効果を奏するものである。
【図面の簡単な説明】
【００１７】
【図１】本考案の第１実施形態に係るノートの筆記具を保持した使用状態の上部側から看た要部拡大斜視図である。
【図２】同筆記具ホルダー部を起立させて立体的な角筒形状となした状態の下部側から看た要部拡大斜視図である。
【図３】図２におけるＡ−Ａ線拡大断面図である。
【図４】同筆記具ホルダ−部を畳んで扁平にした状態の要部拡大正面図である。
【図５】図４におけるＢ−Ｂ線拡大断面図である。
【図６】同筆記具ホルダー部を異なる畳み方をして扁平にした状態の要部拡大斜視図である。
【図７】図６におけるＣ−Ｃ線拡大断面図である。
【図８】同筆記具ホルダー部を展開した状態の要部拡大斜視図である。
【図９】本考案の第２実施形態に係るノートの筆記具ホルダー部を展開した状態の要部拡大正面図である。
【図１０】同筆記具ホルダー部をノート本体に一体化させた後筆記具ホルダー部を起立させて立体的な角筒形状となした状態の要部拡大断面図である。
【考案を実施するための形態】
【００１８】  以下、本考案を実施するための形態について、図面を参照して説明する。
【００１９】  先ず、図１乃至図８に示した本考案の第１実施形態について説明する。
【００２０】  図中１は表表紙２、裏表紙３、背表紙（図示せず。）、記入用紙４とからなるノートである。また、該ノート１は、本実施形態を実施するには、一冊あたりの価格が安く且つ厚味の少ない所謂大学ノート等が好適である。また、該ノート１には、表表紙、裏表紙、背表紙、記入用紙のいずれもが紙からなる手帳も含まれる。
【００２１】  而して、前記ノート１は、ノート１本体における裏表紙３の側縁３Ａの外側に、筆記具Ｐを保持するときには起立させて立体的な角筒形状になし、筆記具Ｐを保持しないときには畳んで扁平にすることができる筆記具ホルダー部５を設けたことを特徴とするものである。
【００２２】  また、本実施形態においては、図８に示す如く、前記筆記具ホルダー部５を、ノート１本体における裏表紙３の側縁３Ａの外側に、夫々折線６を介して、縦長長方形をなす背面壁７と、右側面壁８と、前面壁９と、左側面壁１０と、貼着片１１とを順次連成し、前記貼着片１１をノート１本体における裏表紙３の側縁３Ａの内側面に貼着して形成してなる筆記具ホルダー部５としている。
【００２３】  また更に、本実施形態においては、前記右側面壁８と前面壁９の上部に、これらにかけて略Ｖ字形の切り込み１２を設けている。
【００２４】  次に、上記実施形態の作用について説明する。
ノート１自体に、その材料である紙をもって筆記具ホルダー部５を設けたから、従来の如く筆記具ホルダーをノートとは別の材料で且つノートとは別々に製作しなければならない場合に比して材料コストと製作に要する手間と時間を大幅に軽減することができるものである。また、廃棄するときにも、紙であるから通常のゴミとして廃棄することができるものである。
【００２５】  また、ノート１に記入するときに、従来品にあっては筒状の筆記具ホルダーがあることから、記入用紙がテーブル面に平行にならず、曲がって書きにくいという問題があったが、本実施形態にあっては筆記具ホルダー部５をノート１本体における裏表紙３の側縁３Ａの外側に設けたから、筆記具ホルダー部５が記入用紙４の外側に外れて位置し、もって記入用紙４はテーブル面と完全に平行した状態となり、従来品の書きにくいという問題を解消することができる。
【００２６】  また、筆記具ホルダー部５は、筆記具Ｐを保持するときには起立させて立体的な角筒形状になし、筆記具Ｐを保持しないときには畳んで扁平にすることができるようになしたから、出掛けるときに、使用する予定のノートの筆記具ホルダー部５を起立させて筆記具Ｐを保持させ、そして帰ってから当該ノートを保管しておくときには、筆記具ホルダー部５から筆記具Ｐを抜き取り、該筆記部ホルダー部５を畳んで扁平にするものである。これにより多数のノートを重ねて保管するとき、筆記具ホルダ−部５が嵩張って邪魔にならず、整然と保管することができるものである。
【００２７】  また、筆記具ホルダー部５を、ノート１本体における裏表紙３の側縁３Ａの外側に、夫々折線６を介して、縦長長方形をなす背面壁７と、右側面壁８と、前面壁９と、左側面壁１０と、貼着片１１とを順次連成し、前記貼着片１１をノート１本体における裏表紙３の側縁３Ａの内側面に貼着して形成してなる筆記具ホルダー部５とした場合には、ノート１本体を裁断機で打ち抜くときに筆記具ホルダー部５も同時に打ち抜くことができ、製作する上で効率よく行うことができる。そして、出来上がった状態においては上記の効果を奏するものである。
【００２８】  また、右側面壁８と前面壁９の上部に、これらにかけて略Ｖ字形の切り込み１２を設けており、略Ｖ字形の切り込み１２によって形成された窪みに筆記具Ｐを深く入り込ませることができるから、ノートの携行中にこれが揺れても簡単に飛び出してしまうことを防ぐことができると共に、筆記具Ｐのノック部を窪みの中に位置させることができるから、知らず知らずのうちにノック部が押されて、筆記具の先端から出たインク等で衣服が汚れる等の事故を未然に防ぐことができるものである。
【００２９】  次に、図９及び図１０に示した本考案の第２実施形態について説明する。
【００３０】  本実施形態と前記第１実施形態とは、筆記具ホルダー部の形成の仕方において相違するものである。即ち、本実施形態においては、筆記具ホルダー部５を、一枚の厚紙１３からなり、夫々折線１４を介して、縦長長方形をなす連結貼着片１５と、背面壁１６と、右側面壁１７と、前面壁１８と、左側面壁１９と、貼着片２０とを順次連成し、前記連結貼着片をノート本体における裏表紙の側縁の内側面に貼着すると共に、前記貼着片２０を前記連結貼着片１５に重合貼着して形成してなる筆記具ホルダー部５としたものである。
【００３１】  本実施形態の場合には、筆記具ホルダー部５をノート１本体とは別体に製作することが必要となるが、筆記具ホルダー部５を形成する紙は、ノート１本体を裁断した残りの部分を使用してもよく、特にコストが高くなるという問題はない。また、ノート１本体に一体化させたときにおいては上記と同様の効果を奏するものである。
【符号の説明】
【００３２】  １  ノート
３  裏表紙
３Ａ  裏表紙の側縁
４  記入用紙
５  筆記具ホルダー部
６  折線
７  背面壁
８  右側面壁
９  前面壁
１０  左側面壁
１１  貼着片
１２  略Ｖ字形の切り込み
１３  厚紙
１４  折線
１５  連結貼着片
１６  背面壁
１７  右側面壁
１８  前面壁
１９  左側面壁
２０  貼着片
【図１】
0003187016.tif 000003
【図２】
0003187016.tif 000004
【図３】
0003187016.tif 000005
【図４】
0003187016.tif 000006
【図５】
0003187016.tif 000007
【図６】
0003187016.tif 000008
【図７】
0003187016.tif 000009
【図８】
0003187016.tif 000010
【図９】
0003187016.tif 000011
【図１０】
0003187016.tif 000012